【事件の表示】
　平成　４年特許願第２７１４１２号「液晶表示装置」拒絶査定に対する審判事件［平成　６年　４月２８日出願公開、特開平　６−１１８４０４］について、次のとおり審決する。
【結　論】
　本件審判の請求は、成り立たない。
【理　由】
１．手続の経緯・本願発明
　本願は、平成４年１０月９日の出願であって、その請求項に係る発明は、平成１１年４月１５日付、平成１３年４月２３日付及び平成１３年１０月３日手続補正書により補正された明細書及び図面の記載からみて、特許請求の範囲の請求項１に記載された次のとおりのものと認める。
「【請求項１】一対の基板間の封止部の内側に液晶が挟持されてなり、前記一対の基板の一方の基板の前記封止部の内側にはトランジスタと、前記トランジスタの上に絶縁膜を介して配置された画素電極とを有し、前記絶縁膜は前記一方の基板の封止部に対向する領域にも配置されており、
　前記一方の基板には前記トランジスタを駆動するドライバー回路が前記封止部に対向する領域であって封止部直下に前記絶縁膜で保護されるように配置されてなり、前記ドライバー回路上に画素電極と同一膜の導電性膜が設けられており、
　前記他方の基板には前記画素電極に対応して対向電極が配置されるとともに、前記対向電極は前記封止部に対向する領域には配置されていないことを特徴とする液晶表示装置。」（以下、「本願発明」という）
　
２．引用例記載の発明
　これに対して、原査定の拒絶の理由に引用された特開昭５８−８５４７８号公報（以下「引用例１」という。）には、液晶表示装置に関し、次の事項が図面とともに記載されている。
ａ）「この駆動回路は、例えば第１図・・・において・・・液晶表示部ＬＣは、その各一方の電極は、共通の電極とされて例えば接地電位とされ、他方の電極は夫々独立に絵素電極として導出される。また図において（１）は水平方向のシフトレジスタ、バッファ回路入力回路等を含む水平方向の制御回路部を示し、（２）は垂直方向のシフトレジスタ、バッファ回路等を含む垂直方向の制御回路部で、水平方向制御回路部（１）に表示信号が与えられて順次的にスイッチングＭＯＳトランジスタによって各液晶表示部を表示するようになされる。」（１頁右下欄６行〜１８行）、
ｂ）「まず第２図及び第３図を参照して本発明を反射型液晶表示装置に適用するための一例を説明する。
・・・本発明においては、基板（１１）とこれに対向して設けられた透明基板（１２）との間に液晶（１３）を封入する液密空間を形成する。そして、その中央部において各絵素を構成する液晶表示部Ｅを配置し、その周辺の例えば四周に第１図で説明した制御回路（１）及び（２）を構成する周辺回路部Ｓを配置する。
　基板（１１）は・・・のシリコン半導体基板より成り、これに対向して設けられる透明基板（１２）は・・・ガラス等の基板によって構成する。そして、これら間に形成した液密空間内には、液晶例えばゲスト−ホスト型の液晶（１３）を封入する。基板（１１）上には、第３図に示すように、液晶表示部を駆動制御する制御回路及び各絵素に対応して設けられる駆動回路等を構成する半導体回路が設けられる。半導体基板（１１）の周辺部には、前述したように、第１図で説明した制御回路（１）及び（２）を構成する周辺回路部Ｓが設けられ、これより内側において表示部Ｅの複数の絵素部が基板（１１）及び（１２）の板面方向に沿って水平及び垂直方向にすなわちマトリクス状に配列される。そして半導体基板（１１）の液晶（１３）が配置される側にはこれらの表示部に対応して例えばＮ型のソース及びドレイン領域（１４ｓ）及び（１４ｄ）がイオン注入法、拡散法等によって形成され、これら間上にゲート絶縁層（１５）例えばＳｉＯ２層が形成され、更にこれの上にゲート電極（１６）が設けられて第１図で説明したスイッチング用のＭＯＳトランジスタが形成される。またこれらソース領域（１４ｓ）及びドレイン領域（１４ｄ）上にオーミツクに連結して夫々ソース電極及びドレイン電極となり且つこれらよりの配線部となる導電層（１７）が設けられる。またこれら各ＭＯＳに隣合って基板（１１）の表面に基板（１１）と同導電型の高濃度領域（１８）が設けられ、これの上には例えばゲート絶縁層（１５）と同時に形成されたＳｉＯ２等の薄い誘電体層（１９）が形成され、これの上にＭＯＳのドレイン電極に連結された導電層（１７）が延在して高濃度領域（１８）との間に第１図で説明した容量Ｃが構成される。」（２頁左上欄７行〜同頁左下欄９行）、
ｃ）「また、導電層（１７）及び（２０）上を含んで例えば全面的に燐ガラス或いは砒素ガラス等の絶縁層（３３）を形成し、これの導電層（１７）及び（２０）上の所定部に窓が穿設され、これら窓を通じて導電層（１７）及び（２０）と電気的に連結する端子導出或いは各導電層（１７）及び（２０）の相互の接続等を行う金属配線層例えばＡｌ層（２２）が所定のパターンに形成されてこれの上に表面が平滑化されるようにいわゆるガラスフローされた燐ガラス或いはポリイミド系樹脂等による絶縁層（２３）が被着される。そしてこの絶縁層（２３）上に液晶（１３）に電圧を与えるための電極特に表示部Ｅすなわち各絵素に対応して設けられる絵素電極（２４）と、周辺回路部Ｓ上に対向する部分、言い換えれば本来の表示部以外で且つ液晶（１３）の四周に対する例えばリング状の周辺電極（２５）と、更に端子部（３２）とを配置する。」（２頁左下欄１５行〜同頁右下欄１０行）
ｄ）「（３０）は基板（１１）及び透明基板（１２）間の間隔を規制して液晶（１３）の封入空間の厚さを規制するスペーサとなり且つ液晶封入空間を液密に保持する障壁」（３頁左上欄１１行〜１３行）
ｅ）「尚、上述した例においては液晶表示部Ｅにおける共通の対向電極（２９）にも接地電位が与えられる場合で遮光電極（２７）と電気的にも連結させた場合であるがこの対向電極（２９）に遮光電極（２７）と異なる電位が与えられる場合にはこの対向電極（２９）と遮光電極（２７）とは電気的に分離され且つ対向電極（２９）から独立に端子導出がなされることは言うまでもないところであろう。」（３頁右上欄１７行〜同頁左下欄４行）
ｆ）第３図には、絵素電極（２４）及び周辺電極（２５）が同一の高さで同一の斜線により描かれていることがみてとれる。
　また、対向電極２９が封止部に対向する領域には配置されていないことがみてとれる。
　
　同じく特開平２−２４２２３０号公報（以下、「刊行物２」という。）には、液晶表示装置に関し、次の事項が図面とともに記載されている。
「第１図は液晶表示装置の構成図、第２図はそのＥ−Ｆ線断面図であり、これら両図において、１は石英基板、２はゲート信号線、３はソース信号線、・・・５は液晶配向膜、６は共通電極、７は上面ガラス板、８は液晶、９は接着剤、１０は画素部、１１は垂直走査回路、１２は水平走査回路、１３は疑似垂直走査回路、１４は疑似水平走査回路である。
　まず、第１図を参照して、石英基板１上にＣＭＯＳプロセスによってゲート信号線２とソース信号線３・・・を形成し、薄膜トランジスタを有する画素部１０と垂直走査回路１１および水平走査回路１２を形成する。」（２頁右下欄下から６行〜３頁左上欄７行）
　第１図、第２図には、前記接着剤に対向する領域であって接着剤直下に、垂直走査回路１１及び水平走査回路１２が配置されていることがみてとれる。
　
３．対比・判断
　本願発明と引用例１に記載された発明を対比する。
（１）引用例１の「基板（１１）とこれに対向して設けられた透明基板（１２）」「スペーサ（３０）」「スイッチング用のＭＯＳトランジスタ」「絶縁層（２３）」「絵素電極（２４）」「周辺回路部Ｓ」「リング状の周辺電極（２５）」「対向電極（２９）」が、それぞれ本願発明の「一対の基板」「封止部」「トランジスタ」「絶縁膜」「画素電極」「ドライバー回路」「導電性膜」「対向電極」に相当することは明らかであるので、上記記載事項から、引用例１には、本願発明の「一対の基板間の封止部の内側に液晶が挟持されてなり、前記一対の基板の一方の基板の前記封止部の内側にはトランジスタと、前記トランジスタの上に絶縁膜を介して配置された画素電極とを有し、前記絶縁膜は前記一方の基板の封止部に対向する領域にも配置されており、前記一方の基板には前記トランジスタを駆動するドライバー回路が前記封止部に対向する領域」「に前記絶縁膜で保護されるように配置されてなり、」「前記ドライバー回路上に画素電極と」「導電性膜が設けられており、前記他方の基板には前記画素電極に対応して対向電極が配置される液晶表示装置」との技術的事項が記載されている。
（２）導電性膜が、「画素電極と同一膜」である点は、本願発明の願書に最初に添付した明細書及び図面には直接の記載はなく、単に図面からみてとれる事項を記載した程度のものである。
　そして、引用例１の第３図において、絵素電極２４及び周辺電極２５は、同一の高さの層として記載されているばかりでなく、同一の斜線で示されている（上記ｆ）ことから、本願発明と同様に、絵素電極２４と周辺電極２５は同一膜である。
（３）引用例１の周辺回路Ｓ及び本願発明のドライバー回路がともに、封止部に対向する領域であって「封止部下方」に配置されていることは明らかである。
（４）引用例１において、対向電極２９は遮光電極２７とは用語を区別して記載されており、遮光電極２７が封止部に対向する領域に配置されているとしても、対向電極２９が封止部に対向する領域には配置されていないことがみてとれるから、この点は相違点を構成しない。
　もし仮に、第３図において対向電極２９は遮光電極２７が接続されて記載されているとしても、引用例１の「なお、上述した例においては液晶表示部Ｅにおける共通の対向電極（２９）にも接地電位が与えられる場合で遮光電極（２７）と電気的にも連結させた場合であるがこの対向電極（２９）に遮光電極（２７）と異なる電位が与えられる場合にはこの対向電極（２９）と遮光電極（２７）とは電気的に分離され且つ対向電極から独立に端子導出がなされることは言うまでもないところである。」（上記ｅ）との記載から、引用例１には、対向電極２９と遮光電極２７とが電気的に分離されることも記載されているのであるから、対向電極２９が遮光電極２７と電気的に接続されたものとのみ解する必要はないので、いずれにしても引用例１の対向電極が「封止部に対向する領域には配置されていない」点は、相違点とはならない。
（なお、対向電極を封止部に対向する領域には配置しないことは周知のことである。この点について必要で有れば、実願平２−１８２２７号（実開平３−１１０４８６号）のマイクロフィルム、実願平２−４５０８５号（実開平４−６０３０号）のマイクロフィルムを参照されたい。）
　
　上記（１）〜（４）の考察から、両者は、「一対の基板間の封止部の内側に液晶が挟持されてなり、前記一対の基板の一方の基板の前記封止部の内側にはトランジスタと、前記トランジスタの上に絶縁膜を介して配置された画素電極とを有し、前記絶縁膜は前記一方の基板の封止部に対向する領域にも配置されており、前記一方の基板には前記トランジスタを駆動するドライバー回路が前記封止部に対向する領域であって封止部下方に前記絶縁膜で保護されるように配置されてなり、前記ドライバー回路上に画素電極と同一膜の導電性膜が設けられており、前記他方の基板には前記画素電極に対応して対向電極が配置されるとともに、前記対向電極は前記封止部に対向する領域には配置されていない液晶表示装置」である点で一致し、次の点で相違する。
　
相違点：
　本願発明のドライバー回路は、封止部に対向する領域であって封止部「直下に」配置されるものであるのに対し、引用例１記載のものは、ドライバー回路である周辺回路部Ｓが、封止部（スペーサ３０）直下のみならず、封止部内にも配置されている点。
　
　相違点について検討すると、引用例２には、同一の技術分野において、封止部（接着剤９）直下にドライバー回路（垂直走査回路１１及び水平走査回路１２）を配置することが記載されており、これを引用例１に適用してドライバー回路を封止部直下に配置することにより、上記相違点の技術的事項とすることは、当業者が適宜設計し得る事項である。
　
　そして、本願発明の奏する作用効果も、引用例１，２記載の発明から予測される程度のことである。
　
４．むすび
　以上のとおり、本願発明は、引用例１，２記載の発明に基いて当業者が容易に発明をすることができたものであるから、特許法第２９条第２項の規定により特許を受けることができない。
　よって、結論のとおり審決する。